(57)【要約】【課題】安価にして通い箱の管理及び通い箱に収納して流通される商品の管理を容易かつ確実に行うことができ、しかも広範な商品の流通に適用可能な通い箱及び通い箱の管理システムを提供する。【解決手段】通い箱１は、プラスチック段ボール箱２に無線通信式半導体装置３を付設してなる。無線通信式半導体装置３のＲＯＭ領域には通い箱１の識別情報を記憶し、ＲＡＭ領域には通い箱１に収納される商品の商品情報を記憶する。通い箱１を商品納入元４３と商品納入先４４と洗浄業者４５との間で循環させる。商品納入元４３、商品納入先４４及び洗浄業者４５に備えられたリーダ５１，５３，５５，５６及びリーダライタ５２，５４にて読み出された通い箱１の識別情報を管理者４２に送信する。【選択図】図５
2005138893.tif 000002
【特許請求の範囲】
【請求項１】
プラスチック段ボール箱に無線通信式半導体装置を付設してなる通い箱であって、前記無線通信式半導体装置として、当該無線通信式半導体装置が付設された通い箱に特有の識別情報を記憶する識別情報記憶エリアと、当該無線通信式半導体装置が付設された通い箱に収容される商品に関する商品情報を随時記憶又は消去可能に記憶する商品情報記憶エリアとを有する無線通信式半導体装置を付設したことを特徴とする通い箱。
【請求項２】
前記プラスチック段ボール箱を構成するブランク内に前記無線通信式半導体装置が埋設されていることを特徴とする請求項１に記載の通い箱。
【請求項３】
前記プラスチック段ボール箱を構成するブランクの表面に前記無線通信式半導体装置が接着されていることを特徴とする請求項１に記載の通い箱。
【請求項４】
前記商品情報には、メーカーコード、商品コード、ロット番号、出荷日及び商品の推奨利用期限を含むことを特徴とする請求項１に記載の通い箱。
【請求項５】
商品納入元と、商品納入先と、通い箱の洗浄業者との間を循環する通い箱の流通を管理者が一元管理する通い箱の管理システムにおいて、
前記通い箱として、プラスチック段ボール箱に無線通信式半導体装置を付設してなり、前記無線通信式半導体装置として、当該無線通信式半導体装置が付設された通い箱に特有の識別情報を記憶する読み出し専用の識別情報記憶エリアと、当該無線通信式半導体装置が付設された通い箱に収容される商品に関する商品情報を記憶する随時書換可能な商品情報記憶エリアとを有する無線通信式半導体装置が付設されたものを用い、
前記商品納入元には、前記識別情報記憶エリアに記憶された識別情報を非接触で読み出すリーダと、前記識別情報記憶エリアに記憶された識別情報を非接触で読み出すと共に前記商品情報記憶エリアに前記商品情報を非接触で書き込むリーダライタとを備え、
前記商品納入先には、前記識別情報記憶エリアに記憶された識別情報及び前記商品情報記憶エリアに記憶された商品情報を非接触で読み出すリーダと、前記識別情報記憶エリアに記憶された識別情報を非接触で読み出すと共に前記商品情報記憶エリアに記憶された前記商品情報を非接触で消去するリーダライタとを備え、
前記通い箱の洗浄業者には、前記識別情報記憶エリアに記憶された識別情報を非接触で読み出すリーダを備え、
前記リーダ及び前記リーダライタによって読み出された識別情報を通信回線を介して前記管理者に送信することを特徴とする通い箱の管理システム。
【請求項６】
前記リーダ及び前記リーダライタより前記管理者に送信される情報には、前記識別情報と、前記リーダ及び前記リーダライタの個別情報と、前記リーダ及び前記リーダライタからの前記識別情報の送信日時情報とを含むことを特徴とする請求項５に記載の通い箱の管理システム。
【発明の詳細な説明】
【技術分野】
【０００１】
本発明は、商品の輸送用容器である通い箱の構成と、当該通い箱の流通状況を一元管理するための通い箱の管理システムとに関する。
【背景技術】
【０００２】
従来より、紙段ボール箱に比べて剛性及び防水性が高く、耐久性及び商品の保護効果に優れることから、発泡プラスチック製のブランクを折り曲げたり組み立てたりすることにより作製されるプラスチック段ボール箱が、通い箱として普及しつつある。
【０００３】
プラスチック段ボール箱製の通い箱は、紙段ボール箱製の通い箱に比べて高価であり、かつ繰り返し利用が可能であることから、その有効利用を図るためには、商品流通過程における流通の状況を厳密に管理する必要がある。
【０００４】
商品流通過程における物流及び物流資材の管理方法としては、例えばコンテナの管理方法で見られるように、コンテナの一部にコンテナの番号情報が記憶された無線通信式半導体装置（無線ＩＣタグ）を付設し、かつコンテナを搬送するトレーラに荷物の種類、重量、仕向地、荷主及びコンテナ番号等の物流情報が記憶された車載器を設置すると共に、トレーラの通過路に無線通信式半導体装置との間及び車載器との間で情報を無線で送受信する第１及び第２の無線アンテナを設置し、これら第１及び第２の無線アンテナにて無線通信式半導体装置に記憶されたコンテナの番号情報及び車載器に記憶された物流情報を読み出すという方法が従来より提案されている（特許文献１参照。）。
【０００５】
このように、物流及び物流資材の管理を無線方式で行うと、伝票による場合とは異なり情報処理を自動化することができるので、物流及び物流資材の管理の容易化、迅速化及び確実化を図ることができる。
【特許文献１】特開２００２−３０８４３３
【発明の開示】
【発明が解決しようとする課題】
【０００６】
しかるに、特許文献１に記載の技術は、コンテナの番号情報の記憶装置（無線通信式半導体装置）及び物流情報の記憶装置（車載器）並びにこれらの各記憶装置との間で情報を送受信する複数の無線アンテナを必要とするので、構成が複雑でシステムが高価になりやすく、安価であることが特に強く要求される通い箱には到底適用することができない。
【０００７】
また、プラスチック段ボール箱製の通い箱は、各種の商品の流通に共用されるものであるので適宜洗浄が必要になるが、特許文献１に記載の技術は、システム中にコンテナの洗浄部門を備えておらず、このままでは通い箱の管理システムに適用することができない。
【０００８】
本発明は、かかる従来技術の不備を解消するためになされたものであり、その目的は、安価にして通い箱の管理及び通い箱に収納して流通される商品の管理を容易かつ確実に行うことができ、しかも広範な商品の流通に適用可能な通い箱及び通い箱の管理システムを提供することにある。
【課題を解決するための手段】
【０００９】
本発明は、前記課題を解決するため、通い箱については、プラスチック段ボール箱に無線通信式半導体装置を付設してなる通い箱であって、前記無線通信式半導体装置として、当該無線通信式半導体装置が付設された通い箱に特有の識別情報を記憶する識別情報記憶エリアと、当該無線通信式半導体装置が付設された通い箱に収容される商品に関する商品情報を随時記憶又は消去可能に記憶する商品情報記憶エリアとを有する無線通信式半導体装置を付設するという構成にした。
【００１０】
このように、プラスチック段ボール箱に識別情報記憶エリアと商品情報記憶エリアとを有する無線通信式半導体装置を付設すると、１つの無線通信式半導体装置を付設するだけで当該無線通信式半導体装置が付設された通い箱の管理と当該通い箱に収納される商品の管理とを行うことができるので、通い箱の高機能化及び低コスト化を図ることができる。また、無線通信式半導体装置に商品情報を随時記憶又は消去できる商品情報記憶エリアを備えると、商品情報記憶エリアに対する商品情報の書き換えが可能になるので、通い箱を各種の商品の流通に共用することができ、通い箱の管理を容易化することができて、その収益性を高めることができる。
【００１１】
また、本発明は、前記構成の通い箱において、前記プラスチック段ボール箱を構成するブランク内に前記無線通信式半導体装置が埋設されているという構成にした。
【００１２】
このように、ブランク内に無線通信式半導体装置が埋設すると、プラスチック段ボール箱からの無線通信式半導体装置の脱落を防止することができるので、通い箱の耐久性をより高めることができる。また、ブランク内への無線通信式半導体装置の埋設は、ブランクの成形と同時に行うことができるので、ブランクの成形後に無線通信式半導体装置を接着する場合に比べて通い箱の製造を容易なものにすることができ、その製造コストを低減することができる。
【００１３】
また、本発明は、前記構成の通い箱において、前記プラスチック段ボール箱を構成するブランクの表面に前記無線通信式半導体装置が接着されているという構成にした。
【００１４】
このように、ブランクの表面に無線通信式半導体装置を接着すると、ブランクを定法によって成形することができるので、成形装置等の改変を行う必要が無く、所要の通い箱を安価に製造することができる。
【００１５】
また、本発明は、前記構成の通い箱において、前記商品情報には、メーカーコード、商品コード、ロット番号、出荷日及び商品の推奨利用期限を含むという構成にした。
【００１６】
このように、無線通信式半導体装置に記憶される商品情報にメーカーコード、商品コード、ロット番号、出荷日及び商品の推奨利用期限を含むと、従来のように物流情報として荷物の種類、重量、仕向地、荷主及びコンテナ番号等を伝達する場合に比べてよりきめの細かい商品情報を商品の納入先に伝達することができるので、商品の納入先における商品の納入元から納入された商品の取り扱い、ひいては商品の納入先における商品の生産管理をより適正化することができる。
【００１７】
一方、本発明は、前記課題を解決するため、通い箱の管理システムについては、商品納入元と、商品納入先と、通い箱の洗浄業者との間を循環する通い箱の流通を管理者が一元管理する通い箱の管理システムにおいて、前記通い箱として、プラスチック段ボール箱に無線通信式半導体装置を付設してなり、前記無線通信式半導体装置として、当該無線通信式半導体装置が付設された通い箱に特有の識別情報を記憶する読み出し専用の識別情報記憶エリアと、当該無線通信式半導体装置が付設された通い箱に収容される商品に関する商品情報を記憶する随時書換可能な商品情報記憶エリアとを有する無線通信式半導体装置が付設されたものを用い、前記商品納入元には、前記識別情報記憶エリアに記憶された識別情報を非接触で読み出すリーダと、前記識別情報記憶エリアに記憶された識別情報を非接触で読み出すと共に前記商品情報記憶エリアに前記商品情報を非接触で書き込むリーダライタとを備え、前記商品納入先には、前記識別情報記憶エリアに記憶された識別情報及び前記商品情報記憶エリアに記憶された商品情報を非接触で読み出すリーダと、前記識別情報記憶エリアに記憶された識別情報を非接触で読み出すと共に前記商品情報記憶エリアに記憶された前記商品情報を非接触で消去するリーダライタとを備え、前記通い箱の洗浄業者には、前記識別情報記憶エリアに記憶された識別情報を非接触で読み出すリーダを備え、前記リーダ及び前記リーダライタによって読み出された識別情報を通信回線を介して前記管理者に送信するという構成にした。
【００１８】
このように、通い箱に識別情報記憶エリアと商品情報記憶エリアとを有する無線通信式半導体装置を付設すると、１つの無線通信式半導体装置を付設するだけで当該１の無線通信式半導体装置が付設された通い箱の管理と当該通い箱に収納される商品の管理とを行うことができ、かつ商品納入元、商品納入先及び通い箱の洗浄業者に通い箱の識別情報と商品情報とを別個に読み出すための複数の情報読み出し手段を備える必要がないので、通い箱及び商品の管理を安価かつ確実に行うことができる。また、無線通信式半導体装置に商品情報を随時書換可能な商品情報記憶エリアを備えると、商品情報を書き換えることによって１の通い箱を各種の商品の流通に共用することができるので、通い箱の汎用性を高めることができ、システムの高能率化を図ることができる。さらに、通い箱が商品納入元と商品納入先と通い箱の洗浄業者との間を循環するようにシステムを構築すると、商品納入元に常に清潔な通い箱を供給することができるので、商品納入元が取り扱う商品の種類によらず１の通い箱を共用することができて、通い箱の稼働率を高めることができ、システムの効率的な運用を図ることができる。加えて、商品納入元、商品納入先及び通い箱の洗浄業者にリーダ又はリーダライタを備え、これらのリーダ又はリーダライタにて読み出された通い箱の識別情報を通信回線を介して管理者に送信すると、管理者は通い箱の流通状態をリアルタイムで把握することができるので、通い箱の管理を厳密に行うことができる。また、商品納入元において商品情報記憶エリアに所要の商品情報を書き込み、この商品情報を商品納入先にて読み出すと、商品納入元から商品納入先に所要の商品情報を伝達することができるので、商品納入先における商品の生産管理を適正化することができる。
【００１９】
また、本発明は、前記構成の通い箱の管理システムにおいて、前記リーダ及び前記リーダライタより前記管理者に送信される情報には、前記識別情報と、前記リーダ及び前記リーダライタの個別情報と、前記リーダ及び前記リーダライタからの前記識別情報の送信日時情報とを含むという構成にした。
【００２０】
このように、管理者への送信情報に、通い箱の識別情報とリーダ及びリーダライタの個別情報と送信情報の送信日時情報とを含むと、管理者が個々の通い箱について、その稼働状況を的確に把握することができるので、多数の通い箱の管理を確実に行うことができる。
【発明の効果】
【００２１】
本発明の通い箱は、プラスチック段ボール箱に識別情報記憶エリアと商品情報記憶エリアとを有する無線通信式半導体装置を付設したので、１つの無線通信式半導体装置を付設するだけで当該無線通信式半導体装置が付設された通い箱の管理と当該通い箱に収納される商品の管理とを行うことができ、通い箱の高機能化及び低コスト化を図ることができる。また、本発明の通い箱は、無線通信式半導体装置に商品情報を随時記憶又は消去できる商品情報記憶エリアを備えたので、商品情報記憶エリアに対する商品情報の書き換えが可能で通い箱を各種の商品の流通に共用することができ、通い箱の管理を容易化することができて、その収益性を高めることができる。
【００２２】
本発明の通い箱の管理システムは、通い箱に識別情報記憶エリアと商品情報記憶エリアとを有する無線通信式半導体装置を付設したので、１つの無線通信式半導体装置を付設するだけで当該１の無線通信式半導体装置が付設された通い箱の管理と当該通い箱に収納される商品の管理とを行うことができ、かつ商品納入元、商品納入先及び通い箱の洗浄業者に通い箱の識別情報と商品情報とを別個に読み出すための複数の情報読み出し手段を備える必要がなく、通い箱及び商品の管理を安価かつ確実に行うことができる。また、本発明の通い箱の管理システムは、無線通信式半導体装置に商品情報を随時書換可能な商品情報記憶エリアを備えるので、商品情報を書き換えることによって１の通い箱を各種の商品の流通に共用することができ、通い箱の汎用性を高めることができて、システムの高能率化を図ることができる。さらに、本発明の通い箱の管理システムは、通い箱が商品納入元と商品納入先と通い箱の洗浄業者との間を循環するようにシステムを構築するので、商品納入元に常に清潔な通い箱を供給することができて、商品納入元が取り扱う商品の種類によらず１の通い箱を共用することができ、通い箱の稼働率を高めることができて、システムの効率的な運用を図ることができる。加えて、本発明の通い箱の管理システムは、商品納入元、商品納入先及び通い箱の洗浄業者にリーダ又はリーダライタを備え、これらのリーダ又はリーダライタにて読み出された通い箱の識別情報を通信回線を介して管理者に送信するので、管理者は通い箱の流通状態をリアルタイムで把握することができ、通い箱の管理を厳密に行うことができる。また、商品納入元において商品情報記憶エリアに所要の商品情報を書き込み、この商品情報を商品納入先にて読み出すので、商品納入元から商品納入先に所要の商品情報を伝達することができ、商品納入先における商品の生産管理を適正化することができる。
【発明を実施するための最良の形態】
【００２３】
まず、本発明に係る通い箱の実施形態を図１乃至図３に基づいて説明する。図１は実施形態例に係る通い箱の展開図及び組立図、図２は無線通信式半導体装置の付設状態を示す通い箱の要部断面図、図３は無線通信式半導体装置のメモリ構成を示すフォーマット図である。
【００２４】
本例の通い箱１は、図１及び図２に示すように、プラスチック段ボール箱２に無線通信式半導体装置３を付設してなる。プラスチック段ボール箱２は、発泡プラスチックをもって形成されたブランク４を折り曲げたり組み立てたりすることにより作製される。即ち、ブランク４には、図１（ａ）に示すように、第１乃至第４の側板１１〜１４と、第１乃至第４の底板１５〜１８と、第１乃至第４の蓋板１９〜２２と、第１の側板１１の側方に設けられた連結片２３とが折り込み線２４を介して所要の配列で連設されており、第１乃至第４の各側板１１〜１４の間及び第１の側板１１と連結片２３との間に設けられた折り込み線２４でブランク４を折り曲げ、連結片２３の外面を第４の側板１４の内面に接着又は融着すると共に、第１乃至第４の底板１５〜１８及び第１乃至第４の蓋板１９〜２２を巴状に組み立てることにより、図１（ｂ）に示すように箱状に形成される。
【００２５】
無線通信式半導体装置３は、半導体チップの入出力端子にアンテナコイルを接続したものであって、その外形については、タグ形、ボタン形又はカード形などの任意の形状に形成することができる。この無線通信式半導体装置３は、図２（ａ）に示すようにブランク４内に埋設することもできるし、図２（ｂ）に示すようにブランク４の表面に接着することもできる。ブランク４内への無線通信式半導体装置３の埋設は、ブランク４の成形金型内に無線通信式半導体装置３を配置し、いわゆるインサートモールドによって行うこともできるし、ブランク４の成形後にブランク４に形成されたチップ収納凹部内に無線通信式半導体装置３を収納し、ポッティング樹脂で封止することによって行うこともできる。無線通信式半導体装置３をブランク４の表面に接着する場合には、無線通信式半導体装置３を保護するため、図２（ｂ）に示すように、無線通信式半導体装置３の表面を保護材５にて覆うことが好ましい。
【００２６】
ブランク４内に無線通信式半導体装置３を埋設すると、プラスチック段ボール箱２からの無線通信式半導体装置３の脱落を防止することができるので、通い箱１の耐久性を高めることができる。また、ブランク４内に無線通信式半導体装置３をインサートモールドすると、ブランク４の成形後に無線通信式半導体装置３を埋設又は接着する場合に比べて通い箱１の製造を容易なものにすることができるので、通い箱１の製造コストを低減することができる。
【００２７】
一方、ブランク４の表面に無線通信式半導体装置３を接着すると、ブランク４をインサートモールドなどの特殊な方法によって成形する必要がなく、定法によって成形することができるので、成形装置等の改変等を行う必要がないことから、所要の通い箱１を安価に製造することができる。
【００２８】
図３に示すように、無線通信式半導体装置３のメモリ領域３０には、識別情報記憶エリア３１と商品情報記憶エリア３２とが設けられており、識別情報記憶エリア３１には、個々の通い箱１の識別情報３１ａと、属性情報３１ｂと、これら識別情報３１ａ及び属性情報３１ｂの書換禁止フラグ３１ｃとが記憶され、商品情報記憶エリア３２には、メーカーコード３２ａ、商品コード３２ｂ、ロット番号３２ｃ、出荷日３２ｄ及び商品の推奨利用期限３２ｅが記憶されている。識別情報記憶エリア３１は、書換禁止フラグ３１ｃを書き込むことによってＲＯＭ（読み出し専用メモリ）として機能し、一旦書き込まれた識別情報３１ａ及び属性情報３１ｂが永続的に保持される。これに対して、商品情報記憶エリア３２は、ＲＡＭ（ランダムアクセスメモリ）であり、商品情報３２ａ〜３２ｅを随時書き換えることができる。なお、かかる構成に代えて、無線通信式半導体装置３のメモリ領域３０をＲＯＭとＲＡＭとから構成し、識別情報記憶エリア３１をＲＯＭに割り当て、商品情報記憶エリア３２をＲＡＭに割り当てるという構成にすることもできる。
【００２９】
本例の通い箱１は、プラスチック段ボール箱２に識別情報記憶エリア３１と商品情報記憶エリア３２とを有する無線通信式半導体装置３を付設したので、１つの無線通信式半導体装置３を付設するだけで当該無線通信式半導体装置３が付設された通い箱１の管理と当該通い箱１に収納される商品の管理とを行うことができ、通い箱管理用の無線通信式半導体装置と商品管理用の無線通信式半導体装置を別個に付設する場合に比べて高機能の通い箱１を安価に実施することができる。また、無線通信式半導体装置３にＲＡＭによって構成される商品情報記憶エリア３２を備えたので、商品情報記憶エリア３２に対する商品情報３２ａ〜３２ｅの書き換えを行うことによって通い箱１を各種の商品の流通に共用することが可能になり、通い箱１の稼働率を高めることができて、その収益性を高めることができる。
【００３０】
また、本例の通い箱１は、商品情報記憶エリア３２に商品情報としてメーカーコード３２ａ、商品コード３２ｂ、ロット番号３２ｃ、出荷日３２ｄ及び商品の推奨利用期限３２ｅを記憶したので、従来のように物流情報として荷物の種類、重量、仕向地、荷主及びコンテナ番号等を記憶する場合に比べてよりきめの細かい商品情報を商品の納入先に伝達することができ、納入先における納入元から納入された商品の取り扱い、ひいては納入先における商品の生産管理をより適正化することができる。
【００３１】
次に、本発明に係る通い箱管理システムの実施形態を図４乃至図６に基づいて説明する。図４は実施形態例に係る通い箱管理システムの構成図、図５は商品納入元及び商品納入先並びに洗浄業者のシステム構成図、図６はリーダ又はリーダライタより管理者に送信される情報のフォーマット図である。
【００３２】
図４に示すように、本例の通い箱管理システムは、通い箱１の供給者４１と、通い箱１の管理者４２と、通い箱１に自己が取り扱う商品を収納して発送する１乃至複数の商品納入元４３と、通い箱１に収納されて商品納入元４３より発送された商品を受け入れる１乃至複数の商品納入先４４と、洗浄された通い箱１を商品納入元４３に貸し出し、商品納入先４４から返却された通い箱１を洗浄する１乃至複数の洗浄業者４５と、洗浄業者４５から商品納入元４３への通い箱１の搬送、商品納入元４３から商品納入先４４への通い箱１の搬送及び商品納入先４４から洗浄業者４５への通い箱１の搬送を行う１乃至複数の搬送業者４６と、これらを相互に接続する通信回線４７とから構成されている。なお、通い箱１の管理者４２、洗浄業者４５及び搬送業者４６は、通い箱１の供給者４１が兼ねることもできる。また、商品納入元４３としては、例えば原料メーカーを挙げることができ、商品納入先４４としては、例えば製品メーカーを挙げることができる。
【００３３】
図５に示すように、商品納入元４３には、無線通信式半導体装置３に記憶された通い箱１の識別情報３１ａ〜３１ｃを読み出すリーダ５１と、無線通信式半導体装置３に記憶された通い箱１の識別情報３１ａ〜３１ｃを読み出すと共に無線通信式半導体装置３に商品情報３２ａ〜３２ｅを書き込むリーダライタ５２とが備えられる。また、商品納入先４４には、無線通信式半導体装置３に記憶された通い箱１の識別情報３１ａ〜３１ｃ及び商品情報３２ａ〜３２ｅを読み出すリーダ５３と、無線通信式半導体装置３に記憶された通い箱１の識別情報３１ａ〜３１ｃを読み出すと共に無線通信式半導体装置３に記憶された商品情報３２ａ〜３２ｅを消去するリーダライタ５４とが備えられる。さらに、洗浄業者４５には、商品納入先４４より返却された通い箱１について無線通信式半導体装置３に記憶された通い箱１の識別情報３１ａ〜３１ｃを読み出す搬入側リーダ５５と、洗浄後の商品納入元４３に貸し出される通い箱１について無線通信式半導体装置３に記憶された通い箱１の識別情報３１ａ〜３１ｃを読み出す搬出側リーダ５６とが備えられる。なお、前記リーダ５１，５３，５５，５６及び前記リーダライタ５２，５４のアンテナ部としては、情報の送受信を容易なものにするため、ゲートアンテナを用いることが特に好ましい。
【００３４】
前記リーダ５１，５３，５５，５６及び前記リーダライタ５２，５４は、図６に示すように、無線通信式半導体装置３から読み出した識別情報３１ａ〜３１ｃを、各リーダ５１，５３，５５，５６及びリーダライタ５２，５４ごとにに割り当てられた個別情報６１及び送信日時情報６２と共に、通信回線４７を介して管理者４２に送信する。これにより、管理者４２は、個々の通い箱１の稼働状況を的確に把握することができ、多数の通い箱１の管理を的確に行うことができる。
【００３５】
以下、上記のように構成された通い箱管理システムの具体的な運用方式について説明する。
【００３６】
商品納入元４３からの通い箱１の貸し出し依頼を受けると、管理者４２は、洗浄業者４５及び搬送業者４６に対して、指定日時に指定サイズ及び指定枚数の通い箱１を依頼先である商品納入元４３に搬入する旨の指示を出す。
【００３７】
この指示に基づいて、洗浄業者４５は、洗浄済みの所要サイズ及び所要枚数の通い箱１を出庫し、搬出側リーダ５６にて出庫された個々の通い箱１に付設された無線通信式半導体装置３から識別情報３１ａ〜３１ｃを読み出し、管理者４２に送信する。搬送業者４６は、洗浄業者４５より出庫された通い箱１を依頼先である商品納入元４３に搬入する。
【００３８】
商品納入元４３に搬入された通い箱１は、商品納入元４３に備えられたリーダ５１を通過し、当該リーダ５１にて個々の通い箱１に付設された無線通信式半導体装置３から識別情報３１ａ〜３１ｃが読み出される。この識別情報３１ａ〜３１ｃも管理者４２に送信される。また、商品納入元４３は、リーダ５１にて読み出された識別情報３１ａ〜３１ｃから、搬入された通い箱１のサイズ及び枚数に間違いがないか確認し、間違いがある場合には管理者４２に連絡する。
【００３９】
商品納入元４３において商品が収納された通い箱１は、商品納入元４３に備えられたリーダライタ５２を通過し、当該リーダライタ５２にて個々の通い箱１に付設された無線通信式半導体装置３に収納された商品に関する商品情報３２ａ〜３２ｅが書き込まれると共に、各通い箱１に付設された無線通信式半導体装置３から識別情報３１ａ〜３１ｃ及び商品情報３２ａ〜３２ｅが読み出された上で、搬送業者４６によって商品納入先４４に搬送される。リーダライタ５２にて読み出された識別情報３１ａ〜３１ｃは管理者４２に送信され、商品情報３２ａ〜３２ｅは商品納入元４３における出庫管理情報として利用される。
【００４０】
商品納入先４４に搬入された通い箱１は、商品納入先４４に備えられたリーダ５３を通過し、当該リーダ５３にて個々の通い箱１に付設された無線通信式半導体装置３から識別情報３１ａ〜３１ｃ及び商品情報３２ａ〜３２ｅが読み出される。この読み出された識別情報３１ａ〜３１ｃも管理者４２に送信される。また、読み出された商品情報３２ａ〜３２ｅは商品納入先４４における入庫管理情報として利用される。
【００４１】
内容物が取り出された通い箱１は商品納入先４４において解体され、商品納入先４４に備えられたリーダライタ５４を通過した後に洗浄業者４５に返却される。リーダライタ５４においては、無線通信式半導体装置３に記憶された商品情報３２ａ〜３２ｅが消去され、無線通信式半導体装置３に記憶された通い箱１の識別情報３１ａ〜３１ｃが読み出される。このリーダライタ５４にて読み出された通い箱１の識別情報３１ａ〜３１ｃも管理者４２に送信される。
【００４２】
洗浄業者４５に返却された通い箱１は、洗浄業者４５に備えられた搬入側リーダ５５を通過し、当該搬入側リーダ５５により無線通信式半導体装置３に記憶された識別情報３１ａ〜３１ｃが読み出される。この搬入側リーダ５５にて読み出された通い箱１の識別情報３１ａ〜３１ｃも管理者４２に送信される。
【００４３】
なお、洗浄業者４５に所要サイズ及び所要枚数の通い箱１の在庫がない場合には、供給者４１から新たな通い箱１が供給され、洗浄業者４５が洗浄した上で商品納入元４３に貸し出される。
【００４４】
かように、本例の通い箱１の管理システムは、商品納入元４３、商品納入先４４及び洗浄業者４５にリーダ５１，５３，５５，５６及びリーダライタ５２，５４を備え、これらの各リーダ５１，５３，５５，５６及びリーダライタ５２，５４にて読み出された通い箱１の識別情報３１ａ〜３１ｃを随時管理者４２に送信するようにしたので、管理者４２は個々の通い箱１の稼働状況を的確に把握することができ、その管理を的確に行うことができる。即ち、通い箱１の稼働状況を的確に把握できることから供給者４１における在庫管理を厳密に行うことができると共に、通い箱１のトレーサビリティを明確にできることから紛失や破損等の責任を明確にすることができ、システムの運用効率を高めることができる。
【００４５】
また、本例の通い箱１の管理システムは、通い箱１に識別情報記憶エリア３１と商品情報記憶エリア３２とを有する無線通信式半導体装置３を付設したので、１つの無線通信式半導体装置３を付設するだけで当該１の無線通信式半導体装置３が付設された通い箱１の管理と当該通い箱１に収納される商品の管理とを行うことができ、かつ商品納入元、商品納入先及び通い箱の洗浄業者に通い箱の識別情報と商品情報とを別個に読み出すための複数の情報読み出し手段を備える必要がなく、通い箱１及び商品の管理を安価かつ確実に行うことができる。
【００４６】
また、本例の通い箱１の管理システムは、無線通信式半導体装置３に商品情報３２ａ〜３２ｅを随時書換可能な商品情報記憶エリア３２を備えるので、商品情報３２ａ〜３２ｅを書き換えることによって１の通い箱を各種の商品の流通に共用することができ、通い箱１の汎用性を高めることができて、システムの高能率化を図ることができる。
【００４７】
また、本例の通い箱１の管理システムは、通い箱１が商品納入元４３と商品納入先４４と通い箱の洗浄業者４５との間を循環するので、商品納入元４３に常に清潔な通い箱を供給することができ、商品納入元４３が取り扱う商品の種類によらず１の通い箱を共用することができることから通い箱の稼働率を高めることができて、システムの効率的な運用を図ることができる。
【００４８】
また、本例の通い箱１の管理システムは、商品納入元４３において商品情報記憶エリア３２に所要の商品情報３２ａ〜３２ｅを書き込み、この商品情報３２ａ〜３２ｅを商品納入先４４にて読み出すので、商品納入元４３から商品納入先４４に詳細な商品情報を伝達することができて、商品納入先４４における商品の生産管理を適正化することができる。例えば、商品が鶏卵などの食品材料や生薬などの漢方薬材料である場合、商品情報に推奨利用期限（賞味期限）３２ｅを付加することによって、商品納入先４４における期限切れ原料の使用を未然に防止することができる。
【図面の簡単な説明】
【００４９】
【図１】実施形態例に係る通い箱の展開図及び組立図である。
【図２】無線通信式半導体装置の付設状態を示す通い箱の要部断面図である。
【図３】無線通信式半導体装置のメモリ構成を示すフォーマット図である。
【図４】実施形態例に係る通い箱管理システムの構成図である。
【図５】商品納入元及び商品納入先並びに洗浄業者のシステム構成図である。
【図６】リーダ又はリーダライタより管理者に送信される情報のフォーマット図である。
【符号の説明】
【００５０】
１    通い箱
２    プラスチック段ボール箱
３    無線通信式半導体装置
４    ブランク
１１〜１４    側板
１５〜１８    底板
１９〜２２    蓋板
２３    連結片
２４    折り込み線
３１    識別情報記憶エリア
３２    商品情報記憶エリア
４１    通い箱の供給者
４２    通い箱の管理者
４３    商品納入元
４４    商品納入先
４５    洗浄業者
４６    搬送業者
５１，５３，５５，５６    リーダ
５２，５４    リーダライタ
【図１】
2005138893.tif 000003
【図２】
2005138893.tif 000004
【図３】
2005138893.tif 000005
【図４】
2005138893.tif 000006
【図５】
2005138893.tif 000007
【図６】
2005138893.tif 000008
【手続補正書】
【提出日】平成15年11月12日(2003.11.12)
【手続補正１】
【補正対象書類名】図面
【補正対象項目名】全図
【補正方法】変更
【補正の内容】
【図１】
2005138893.tif 000009
【図２】
2005138893.tif 000010
【図３】
2005138893.tif 000011
【図４】
2005138893.tif 000012
【図５】
2005138893.tif 000013
【図６】
2005138893.tif 000014